(57)【特許請求の範囲】
【請求項１】
少なくとも前後一対の針ベッドを備え、何れか一方または双方の針ベッドが左右摺動可能に構成される横編機を使用し、前後に重ねられた状態で編成される編地が、その両端部で連続する筒状の編地として編成する過程において、
第１の編地を保持する針に編糸を供給して次コースの編目を形成するとともに、第１の編地の側端となる編目を係止した針に隣接する空針に編糸を供給して空針ニットの編目を形成する第１の工程、
給糸口を反転させるとともに、第２の編地を保持する針床の針に編糸を供給して次コースの編目を編成する第２の工程、
再度給糸口を反転させ、第１の編地を編成するとともに、前記第１工程で空針ニットの編目を形成した針よりも給糸口の進行方向において前方に位置する空針に編糸を供給して空針ニットの編目を形成する第３の工程、
前記第１の工程で形成した空針ニットの編目を、前記第３の工程で形成した空針ニットの編目と、第１の編地の側端となる編目との間に渡っている編糸を越えて対向する針ベッド上の針に目移しする第４の工程、
給糸口を反転させ、第２の編地を編成することにより前記第４の工程で対向する針ベッド上の針に目移しした空針ニットの編目に次コースの編目を形成する第５の工程、
給糸口を再度反転させ、第１の編地を編成することにより前記第３の工程で形成した空針ニットの編目に次コースの編目を形成する第６の工程、
からなることを特徴とする筒状編成における増し目形成方法。
【請求項２】
請求項１に記載の筒状編成における増し目形成方法であって、
前記第５の工程が、新たに形成された空針ニットの編目を対向する針ベッド上の針に目移しし、前後両針ベッドを相対的に移動させた後、再度空針ニットの編目を第１の編地の側端の編目を係止している針に隣接する空針に移動させる工程を含む、
ことを特徴とする筒状編成における増し目形成方法。
【発明の詳細な説明】
【０００１】
【発明の属する技術分野】
本発明は横編機の前後の針ベッドで編成される編地が、その両端部で連続する筒状編地として編成する過程において、編地側端部に新たに編目を形成することで筒径を増加させる増し目を形成するための編成方法に関する。
【０００２】
【従来の技術】
最近、左右両袖部および身頃部等を予め筒状の編地として編成し、編幅を変化させ所望の形状の編地として編成するとともに、左右両袖部と身頃部を接続しつつ編成を行うことで、編機上で完成品に近い形状の編地を編み上げる編成方法が種々研究されている。編地を所望の形状とするための手段として、編地の編幅の外側に位置する空針に新たに編目を形成することで、筒径を増加させる増し目編成が一般的に行われている。しかしながら、増し目は編目を係止していない空針に新たに形成されるため、前コースの編目が存在しないなどの理由から、増し目により形成された編目が通常の編目に比べしまりのない編目となり、増し目形成箇所に穴が開いたようになってしまうという問題がある。したがって、編機上で完成品に近い形状の編地として編成される上記した編成方法により編成した編地は、パーツ同士を接合する縫製作業を必要とせず、編成完了後の後処理を大幅に省略することができるかわりに、編幅を増加させるため増し目を形成した箇所に穴が発生すると、そのまま編地表面に現れてしまい商品価値を落とす原因となってしまう。
【０００３】
上記した問題を解決するための方法として、本出願人は先に特公平２−５１８１０号を先に出願している。特公平３−５１８１０号公報では、筒状の編地を編成する際に、増し目を構成する編目のニードルループが、次コースの編成に際して捻られた状態となるように編成することにより、増し目された編目の丈を短くし、増し目形成箇所の隣接する編目を引き込むことで増し目形成箇所に穴が発生しないようにした増し目編成方法が開示されている。
【０００４】
【発明が解決しようとする課題】
本発明は上記した特公平３−５１８１０号に開示される方法に改良を加え、比較的簡単な方法により増し目形成を行うとともに、該増し目形成箇所に孔が発生することのない編成方法を提供することを目的とするものであり、ことに急激に筒径を増加させることが可能で、成型編を行う際の自由度を増すことのできる増し目形成方法を開示することを目的とする。
【０００５】
【課題を解決するための手段】
本発明の筒状編成における増し目形成方法は、
少なくとも前後一対の針ベッドを備え、何れか一方または双方の針ベッドが左右摺動可能に構成される横編機を使用し、前後に重ねられた状態で編成される編地が、その両端部で連続する筒状の編地として編成する過程において、
第１の編地を保持する針に編糸を供給して次コースの編目を形成するとともに、第１の編地の側端となる編目を係止した針に隣接する空針に編糸を供給して空針ニットの編目を形成する第１の工程、
給糸口を反転させるとともに、第２の編地を保持する針床の針に編糸を供給して次コースの編目を編成する第２の工程、
再度給糸口を反転させ、第１の編地を編成するとともに、前記第１工程で空針ニットの編目を形成した針よりも給糸口の進行方向において前方に位置する空針に編糸を供給して空針ニットの編目を形成する第３の工程、
前記第１の工程で形成した空針ニットの編目を、前記第３の工程で形成した空針ニットの編目と、第１の編地の側端となる編目との間に渡っている編糸を越えて対向する針ベッド上の針に目移しする第４の工程、
給糸口を反転させ、第２の編地を編成することにより前記第４の工程で対向する針ベッド上の針に目移しした空針ニットの編目に次コースの編目を形成する第５の工程、
給糸口を再度反転させ、第１の編地を編成することにより前記第３の工程で形成した空針ニットの編目に次コースの編目を形成する第６の工程、
からなり、本発明によれば一旦他方の針床上の針で形成された後、対向する針床上に目移しされる増し目された編目が半回転捻られた状態となり、増し目された編目が丈の短い編目となるため増し目箇所に孔が開かない。また、増し目として形成された編目の内の一方の編目と、もう一方の編目を構成する編糸の内の一方の編糸が交差した状態となり、増し目形成箇所に周りの編目が引き寄せられ、増し目形成箇所に孔が開かない。さらに、綺麗な増し目箇所が形成される編地を簡単な編成で編成することができるため、編成効率を低下させることなく増し目を形成できる。
【０００６】
また、前記第５の工程が、新たに形成された空針ニットの編目を対向する針ベッド上の針に目移しし、前後両針ベッドを相対的に移動させた後、再度空針ニットの編目を第１の編地の側端の編目を係止している針に隣接する空針に移動させる工程を含む。本発明によれば、増し目が係止されるべき針よりも外側に位置する針で新たに形成され増し目が、それまで編地の側端となる編目を係止している針に隣接する針へと移動される。
【０００７】
【発明の実施の形態】
以下、本発明の実施の形態を図１に示すような袖部材１を編成する場合を例に、図面とともに詳細に説明する。実際の編成においては多数の編針が編成に使用されるが、ここでは説明の便宜上、編成に使用する針本数を実際よりも少なくして説明を行う。編成コース図において上下に配したアルファベットは針ベッドに摺動自在に装着した針を示し、左右方向の矢印は給糸口１の移動方向を、上下方向の矢印は目移しの方向を示す。本発明は少なくとも前後一対の針ベッドを備え、針ベッド上を左右摺動するキャリッジ（図示せず）に設けられたニッティングカムおよびトランスファーカムで編針を進退摺動可能に構成される一般的な横編機で編成可能である。
【０００８】
まず、本発明を前後一対の針ベッドを備えた二枚ベッド横編機を使用して行う場合を図２および図３の編成コース図と、該編成コース図にしたがって増し目が形成された編地の増し目形成箇所を示すループ図である図４を使用して説明する。図４は図２および図３の編成コース図の右側の増し目形成箇所を一点鎖線Ｉ−Ｉを中心とし、前側編地と後側編地を左右に展開した図であり、アルファベットは編目の形成に使用された針を示し図２および図３に対応する。本実施の形態では二枚ベッド横編機を使用し前後両針ベッド上の奇数番目の編針（アルファベットの大文字で示す）を後側編地の編成に、偶数番目の針（アルファベットの小文字で示す）を前側編地の編成に使用するとともに、前側編地編成用の針と後側編地編成用の針を交互に配置し、目移しを行う際に対向する針ベッド上の針を使用することで、筒状に編成を行う過程において目移しを可能としている。したがって、リブ編、リンクス柄等の前後両針床の針を使用して編成される編組織を含む編地も編成可能であるが、以下の説明においては、説明を分かり易くするため、平編組織のみで編成される筒状編地の場合を例に説明を行う。
【０００９】
実際の編成を説明する。図２に示すようにコース１では前ベッドＦＢの編針ｂ・ｃ・ｄ・ｅに編糸を供給して前側編地Ｘを編成し、次にコース２では給糸口２反転させ、後ベッドＢＢの編針Ｅ・Ｄ・Ｃ・Ｂに編糸を供給して後側編地Ｙを編成する。コース１およびコース２に示される編成を前後両針ベッドの編針に環状に編糸を供給し繰り返すことで、前側編地Ｘと後側編地Ｙがその端部で連続する図１に示す筒状の袖部材１が形成される。次に増し目を形成する編成を開始するのであるが、本実施の形態においては、筒状編地の片側の端部（例えば右端）において前側編地Ｘおよび後側編地Ｙのそれぞれ１目づつの増し目が形成され、編地の両端部で同時進行的に増し目を形成することも可能である。したがって、以下の説明では前側編地Ｘ及び後側編地Ｙのそれぞれに左右両端部で増し目を形成することで、現状の８目から１２目へと筒径を増加させる場合を説明する。上記したように本実施の形態では、前側編地Ｘおよび後側編地Ｙの編成にそれぞれ一本置きの針を使用しているため、前側編地Ｘは前ベッドＦＢの針ａと針ｆに新たに編目を形成し、後側編地Ｙは後ベッドＢＢ針ＡとＦに新たに編目を形成する増し目を形成する。
【００１０】
まず、コース３では給糸口２を右方向に移動させ、側端の編目が後側編地Ｙよりも外側に存在する前側編地Ｘの編目を係止している前ベッドＦＢの編針ｂ・ｃ・ｄ・ｅに編糸を供給して前側編地Ｘを編成するとともに、前側編地Ｘの右端となる編目を係止している針ｅの給糸口２の進行方向において前方に位置する前ベッドＦＢの針ｆに編糸を供給して編糸をフックすることで新たに編目を形成する。この時、針ｆには前コースの編目が存在しないため、新たに形成された編目は、編針のフック内に係止された空針ニットの編目１０と呼ばれる状態となっている。次に、コース４では給糸口２を反転させるとともに、後側編地Ｙの編目を係止している後ベッドＢＢの針Ｅ・Ｄ・Ｃ・Ｂに編糸を供給して後側編地Ｙを編成するとともに、後側編地Ｙの左側の側端となる編目を係止している後ベッドＢＢの針Ｂの給糸口２の進行方向において前方に位置する後ベッドＢＢの針ａにも編糸を供給して空針ニットの編目を新たに形成する。次にコース５では給糸口２を反転させ、前ベッドＦＢの針ｂ・ｃ・ｄ・ｅに編糸を供給して編目を形成するとともに、前記コース３で空針ニットの編目を形成した前ベッドＦＢの針Ｆを越え、給糸口２の進行方向において前方に位置する前ベッドＦＢの針ｆにも編糸を供給し空針ニットの編目１１を形成する。次に図３のコース６では前記コース３で前ベッドＦＢの針Ｆに形成した空針ニットの編目１０を後ベッドＢＢの針Ｆに目移しする。この時、針Ｆに係止されていた空針ニットの編目１０は、前ベッドＦＢの針ｅに係止されている編目１２と針ｆの編目１１との間に渡っている編糸１３を越えて後ベッドＢＢの針Ｆに目移しされる。また、上記したコース４では、コース３で最後に編糸を供給した前ベッドＦＢの針Ｆよりも左側に位置する針Ｅから編糸を供給している。したがって前ベッドＦＢの針Ｆに係止されている空針ニットの編目１０を後ベッドＢＢの針Ｆに目移しすることにより、前ベッドＦＢの針Ｆに係止されている空針ニットの編目１０は、前ベッドＦＢの針Ｆから後ベッドＢＢの針Ｆに目移しされる際に編目が半回転捻れた状態となる。
【００１１】
次にコース７では給糸口２を反転させ、後ベッドＢＢの針Ｆ・Ｅ・Ｄ・Ｃ・Ｂに編糸を供給して編目を形成するとともに、前記コース４で空針ニットの編目を形成した後側編地Ｙの左端となる編目を係止している後ベッドＢＢの針ａの給糸口２の進行方向において前方に位置する針Ａに編糸を供給して空針ニットの編目を形成する。この時、後ベッドＢＢの針Ｆに編糸を供給して次コースの編目を形成することで、コース６で後ベッドＢＢの針Ｆに目移しした空針ニットの編目１０が、コース７で形成された編目１４を越えて針からノックオーバーされるため、後ベッドＢＢの針Ｆに通常の編目１４が形成される。そしてコース８では後ベッドＢＢの針ａに係止されている空針ニットの編目を前ベッドＦＢの針ａに目移しすることで、前記コース６と同様に針ａに係止されていた編糸が後ベッドＢＢの針Ｂに係止されている編目と後ベッドＢＢの針Ａの間に渡っている編糸を越えて、且つ編目が半回転捻られた状態で前ベッドＦＢの針ａに目移しされる。そしてコース９では前ベッドＦＢの針ａ・ｂ・ｃ・ｄ・ｅ・ｆに編糸を供給して次コースの編目を形成することで、前ベッドＦＢの針ｆに通常の編目１５が形成され、同様に針ａにも通常の編目が形成される。更にコース１０で後ベッドＢＢの針Ｆ・Ｅ・Ｄ・Ｃ・Ｂ・Ａに編糸を供給して次コースの編目を形成することで、後ベッドＢＢの針Ａにも通常の編目が形成される。これにより前ベッドＦＢの針ａ、針ｆおよび後ベッドＢＢの針Ａ、針Ｆに新たに編目が係止され、コース１の状態に比べ計４目分編地の筒径が増加された状態となる。
【００１２】
上記の編成コースにより増し目が形成された編地は、図４に示すように後ベッドＢＢの針Ｆに目移しされた空針ニットの編目１０と、コース６で前ベッドＦＢの針ｆに形成された空針ニットの編目１１と針ｅで形成された編目１２間に渡る編糸１３が交差した状態となる。したがって、新たに形成された編目同士が互いに引き寄せられた状態となり、増し目箇所に孔が開くのを防ぐ。また、編目を一方の針ベッド上で形成した後、対向する針ベッドに目移しすることにより半回転捻られた状態となる編目１０は編目長が短くなるため、引き続いて形成される編目１１および編目１４が浮き上がりが防止され、増し目箇所に孔が開くことがない。
【００１３】
上記した実施の形態に示されるように、増し目を形成するための編成を行っているコース３からコース８において、前側編地Ｘおよび後側編地Ｙをそれぞれ２コースづつの編成を行っている。このように本発明の増し目編成方法では、編地の左右何れか一方の端部で増し目を形成する場合には、２コース分の編目を形成する間に前側編地Ｘ１目および後側編地Ｙ１目の計２目の増し目を行うことができるとともに、編地の両端で並行して増し目を形成する場合には、前側編地Ｘ２目、後側編地Ｙ２目の計４目の増し目を行うことが可能である。したがって、編地の両端部で並行して増し目を形成することで急激に筒径を増加させることが可能であり、成型編を行う際の自由度が増す。
【００１４】
なお、上記した実施の形態においては、前後一対の針ベッドを備えた二枚ベッド横編機を使用して編成する場合を例に説明したが、本発明は前後一対の針ベッド上に上部ベッドを備えたいわゆる四枚ベッド横編機においても編成可能であり、その場合の編成コース図を図５および図６に示す（図５のコース１から図６のコース１０は図２のコース３以降の編成を示し、ＦＤは前方下部ベッド、ＦＵは前方上部ベッド、ＢＤは後方下部ベッド、ＢＵは後方上部ベッドをそれぞれ示す）。四枚ベッド横編機においては、目移しの際に対向する上部ベッドの針を利用することで、二枚ベッド横編機で編成を行う場合のように編目の形成に使用される針間に目移し用の針を配置することなく、リブ編、リンクス柄等の編組織を含む編地を編成可能であるが、本実施の形態では、説明を容易にするために平編組織のみにより編成される編地の場合を例に説明を行っているため、図５および図６では上部針ベッドを編成に使用しない。図２および図３で説明を行った二枚ベッド横編機の場合には、例えば図２のコース５において、前ベッドＦＢの針Ｆは後側編地編成用の針であり、隣接する針ｆは前側編地編成用の針であるのに対し、四枚ベッド横編機の場合には図２のコース５に対応する図５のコース３において前ベッドＦＢの針Ｈは前側編地編成用の針であり、隣接する針Ｉも前側編地編成用の針である。このように四枚ベッド横編機の場合には、編地の側端に新たに形成される編目の内の一方の編目は、編目を係止するべき針よりも外側の位置する針を使用して形成される。したがって、図６のコース６からコース８で係止すべき針よりも外側で形成された編目を適正な位置へ移動させる。つまりコース６で前方下部ベッドの針Ｉに係止されている空針ニットの編目を対向する後方下部ベッドの針Ｉに目移しし、コース７で後方ベッドを左側に針１ピッチ分ラッキングした後、後方下部ベッドの針に係止されている空針ニットの編目を、前側編地Ｘの側端の編目を係止している前方下部ベッドの針Ｇに隣接する針Ｈに目移しする。同様にコース７で後方下部ベッドの針Ｂに係止されている空針ニットの編目を前方下部ベッドの針Ａに目移しし、コース８で後方ベッドをさらに左側に針１ピッチ分ラッキングした後、空針ニットの編目を後方下部ベッドの針Ｃに目移しすることで編目の移動が完了する。図５および図６に示す編成コース図にしたがって編成された編地は、図４に示す二枚ベッド横編機を使用して編成を行った場合と同じ編組織となる。
【００１５】
なお、前記した二枚ベッド横編機の場合の説明においては、リブ編、リンクス柄等の編組織を含む編地を編成する場合でも実施可能であることを前提として説明したため、図２および図３に示すように一本置きの針を編目の形成に使用し、編目の形成に使用される針間に目移し用の針を配置して編成を行っているが、編地が平編組織のみにより編成される場合には、図５および図６に示される四枚ベッド横編機の場合の編成コース図から、前方上部ベッドＦＵ、および後方上部ベッドＢＵを除いた場合と同じ編成となり、編目の形成に使用する針間に目移し用の針を配置することなく全針と呼ばれる状態で編成を行うことができる。
【００１６】
【発明の効果】
上記したように本発明の筒状編成における増し目形成方法においては、新たに形成される編目の内の一方の編目を一旦他方の針ベッド上の針で形成し、該新たに形成された編目を、該編目と同じ針床上の給糸口の進行方向において前方に位置する針で形成されたもう一つの新たに形成された編目と、対向する針床の針に係止されている編地の側端の編目間に渡っている編糸を越えて対向する針床上の針に目移しするようにしている。したがって、一旦他方の針床上の針で形成され対向する針床上に目移しされる編目が半回転捻られた状態となり、増し目された編目が丈の短い編目となるため、増し目箇所に孔が開くことがない。また、増し目として形成された編目の内の一方の編目と、もう一方の編目を構成する編糸の内の一方の編糸が交差した状態となり、増し目形成箇所に周りの編目が引き寄せられるため、増し目形成箇所に孔が開くことがない。さらに、綺麗な増し目箇所が形成される編地を簡単な編成で編成することができるため、編成効率を低下させることがない。さらに、筒状の編地の両端で並行して増し目を行った場合には、急激に筒径を増加させることが可能であり、成型編を行う際の自由度が増す。
【図面の簡単な説明】
【図１】本発明の編成方法を利用して編成される袖部材を示す図である。
【図２】本発明を二枚ベッド横編機で実施する場合を示す編成コース図である。
【図３】本発明を二枚ベッド横編機で実施する場合を示す編成コース図である。
【図４】図２および図３の編成コース図にしたがって編成された編地の増し目箇所を示すループ図である。
【図５】本発明を四枚ベッド横編機で行う場合を示す編成コース図である。
【図６】本発明を四枚ベッド横編機で行う場合を示す編成コース図である。
【符号の説明】
１…袖部材
２…給糸口
Ｘ…前側編地
Ｙ…後側編地
ＦＢ…前ベッド
ＢＢ…後ベッド
ＦＤ…前方下部ベッド
ＦＵ…前方上部ベッド
ＢＤ…後方下部ベッド
ＢＵ…後方上部ベッド
【図１】
0003541097.tif 000002
【図２】
0003541097.tif 000003
【図３】
0003541097.tif 000004
【図４】
0003541097.tif 000005
【図５】
0003541097.tif 000006
【図６】
0003541097.tif 000007